(57)【要約】【課題】学習用データの抽出にかかる手間を軽減すること。【解決手段】実施形態に係る医用画像処理装置は、解析部と、抽出部とを備える。解析部は、収集済みの複数の医用画像データに対して画像解析を行う。抽出部は、前記解析部の解析結果に基づいて、学習済みモデルの生成に用いられた教師データと共通の属性を有する医用画像データを、前記学習済みモデルの教師データの候補として前記収集済みの複数の医用画像データから抽出する。【選択図】図１
2020058590.tif 000002
【特許請求の範囲】
【請求項１】
収集済みの複数の医用画像データに対して画像解析を行う解析部と、
前記解析部の解析結果に基づいて、学習済みモデルの生成に用いられた教師データと共通の属性を有する医用画像データを、前記学習済みモデルの教師データの候補として前記収集済みの複数の医用画像データから抽出する抽出部と、
を備える、医用画像処理装置。
【請求項２】
前記解析部は、前記収集済みの複数の医用画像データに対して、画像の種別を特定するための学習済みモデル又は画像処理を用いた解析を行い、
前記抽出部は、前記解析部による解析結果に基づいて前記教師データと共通の画像種の複数の医用画像データを抽出し、画質、前記教師データの原画像との類似度、及び、前記学習済みモデルに用いるための制約のうち少なくとも１つに基づいて、抽出した複数の医用画像データの中から前記教師データと共通の属性を有する医用画像データを抽出する、請求項１に記載の医用画像処理装置。
【請求項３】
前記教師データと共通の属性を有する医用画像データを入力データとして前記学習済みモデルに入力することで出力データを取得する取得部と、
前記入力データと前記出力データとを前記学習済みモデルの学習用データとして決定する決定部と、
をさらに備える、請求項１又は２に記載の医用画像処理装置。
【請求項４】
前記出力データを表示部に表示させるように制御する制御部と、
前記表示部にて表示された前記出力データに対する処理の操作を受け付ける受付部と、
をさらに備え、
前記決定部は、前記入力データと前記処理後の出力データとを前記学習済みモデルの学習用データとして決定する、請求項３に記載の医用画像処理装置。
【請求項５】
前記決定部は、前記入力データと前記処理後の出力データとを、前記学習済みモデルのアルゴリズムを提供する提供装置に送信することで、前記学習済みモデルを更新させる、請求項４に記載の医用画像処理装置。
【請求項６】
前記制御部は、前記抽出部による抽出処理に基づくスコア、前記医用画像データの収集日時、前記取得部による出力データの取得状況、及び、前記学習済みモデルの生成に用いられた教師データと前記出力データとの比較結果のうち少なくとも１つを当該出力データとともに表示部にて表示させるように制御する、請求項４又は５に記載の医用画像処理装置。
【請求項７】
前記抽出部は、前記取得部による出力データの取得において誤りが生じた医用画像データの属性情報を蓄積し、蓄積した属性情報を有する医用画像データを抽出の対象外とする、請求項３〜６のいずれか１つに記載の医用画像処理装置。
【請求項８】
収集済みの複数の医用画像データに対して画像解析を行う解析部と、
前記解析部の解析結果に基づいて、学習済みモデルの生成に用いられた教師データと共通の属性を有する医用画像データを、前記学習済みモデルの教師データの候補として前記収集済みの複数の医用画像データから抽出する抽出部と、
を備える、医用画像処理システム。
【請求項９】
収集済みの複数の医用画像データに対して画像解析を行う解析機能と、
前記解析機能の解析結果に基づいて、学習済みモデルの生成に用いられた教師データと共通の属性を有する医用画像データを、前記学習済みモデルの教師データの候補として前記収集済みの複数の医用画像データから抽出する抽出機能と、
をコンピュータに実現させるための医用画像処理プログラム。
【発明の詳細な説明】
【技術分野】
【０００１】
本発明の実施形態は、医用画像処理装置、医用画像処理システム及び医用画像処理プログラムに関する。
【背景技術】
【０００２】
従来、医用画像診断装置によって収集された医用画像データと、医用画像データから得られた教師データとを学習用データとして用いた学習済みモデルが生成されている。かかる学習済みモデルの生成には、例えば、複数の医用画像データの中から適切な学習用データが抽出されて用いられる。
【先行技術文献】
【特許文献】
【０００３】
【特許文献１】特開２０１５−１９４９２７号公報
【特許文献２】特開２００９−１１３７１７号公報
【発明の概要】
【発明が解決しようとする課題】
【０００４】
本発明が解決しようとする課題は、学習用データの抽出にかかる手間を軽減することである。
【課題を解決するための手段】
【０００５】
実施形態に係る医用画像処理装置は、解析部と、抽出部とを備える。解析部は、収集済みの複数の医用画像データに対して画像解析を行う。抽出部は、前記解析部の解析結果に基づいて、学習済みモデルの生成に用いられた教師データと共通の属性を有する医用画像データを、前記学習済みモデルの教師データの候補として前記収集済みの複数の医用画像データから抽出する。
【図面の簡単な説明】
【０００６】
【図１】図１は、本実施形態に係る医用画像処理システムの構成の一例を示す図である。
【図２】図２は、本実施形態に係るＡＩサービスサーバによって行われる学習時及び運用時の処理を示す図である。
【図３】図３は、本実施形態に係る医用画像処理装置による処理の一例を説明するための図である。
【図４】図４は、本実施形態に係る制御機能によって表示される表示情報の一例を示す図である。
【図５】図５は、本実施形態に係る医用画像処理装置による処理の手順を示すフローチャートである。
【発明を実施するための形態】
【０００７】
以下、図面を参照しながら、医用画像処理装置、医用画像処理システム及び医用画像処理プログラムの実施形態について詳細に説明する。なお、本願に係る医用画像処理装置、医用画像処理システム及び医用画像処理プログラムは、以下に示す実施形態によって限定されるものではない。
【０００８】
（実施形態）
図１は、本実施形態に係る医用画像処理システム１００の構成の一例を示す図である。図１に示すように、本実施形態に係る医用画像処理システム１００は、例えば、ＶＮＡ（Vendor  Neutral  Archive）１１０と、ＡＩ（Artificial  Intelligence）サービスサーバ１２０と、医用画像処理装置１３０とを含む。ここで、各システム及び各装置は、ネットワーク２００を介して通信可能に接続されている。
【０００９】
ＶＮＡ１１０は、種々の診療情報を一括して管理する。具体的には、ＶＮＡ１１０は、病院内の診療科ごとのシステムや、独自規格のデータなどを管理する。例えば、ＶＮＡ１１０は、放射線科で採用されるＰＡＣＳ（Picture  Archiving  and  Communication  Systems）におけるＤＩＣＯＭ（Digital  Imaging  and  Communications  in  Medicine）フォーマットの医用画像データや、ＪＰＥＧ（Joint  Photographic  Experts  Group）フォーマット、Ｔｉｆｆ（Tagged  Image  File  Format）フォーマット及びＡｎａｌｙｚｅフォーマットなどのＮｏｎ−ＤＩＣＯＭフォーマットの医用画像データを受信して、受信した医用画像データを自装置の記憶回路に保存して管理する。
【００１０】
ここで、ＶＮＡ１１０は、２次元の医用画像データ及び３次元の医用画像データ（ボリュームデータ）を自装置の記憶回路に保存して管理する。また、ＶＮＡ１１０は、例えば、検査レポートなどのベンダー独自規格のデータを自装置の記憶回路に保存して管理することもできる。例えば、ＶＮＡ１１０は、サーバやワークステーション等のコンピュータ機器によって実現される。
【００１１】
ＡＩサービスサーバ１２０は、機械学習や、深層学習用のアルゴリズムのＡＰＩ（Application  Programming  Interface）を提供するサーバ装置である。具体的には、ＡＩサービスサーバ１２０は、ネットワーク２００を介して入力データと入力データに基づく教師データとを含む学習用データを受信し、受信した学習用データを用いた機械学習により、学習済みモデルを生成する。そして、ＡＩサービスサーバ１２０は、生成した学習済みモデルに対して入力データを学習済みモデルに基づく出力データを出力する。
【００１２】
ここで、本実施形態に係るＡＩサービスサーバ１２０は、任意の画像処理のアルゴリズムのＡＰＩを提供する。以下、頭部のＴ１強調画像（Ｔ１Ｗ）から脳を解剖学的領域或いは機能学的領域にセグメンテーションするためのアルゴリズムを構築する場合を一例に挙げて、ＡＩサービスサーバ１２０における処理を説明する。図２は、本実施形態に係るＡＩサービスサーバ１２０によって行われる学習時及び運用時の処理を示す図である。
【００１３】
例えば、図２の上側に示すように、学習時には、ＡＩサービスサーバ１２０が、被検体から収集された頭部のＴ１強調画像（原画像）と、当該原画像を対象として実施されたセグメンテーション結果（教師データ）との関係を学習することによって、被検体の原画像に基づいてセグメンテーション結果を出力する学習済みモデルを生成する。なお、教師データは、例えば、医師が原画像に含まれる脳に対して実施した解剖学的或いは機能学的なセグメンテーションの結果などである。
【００１４】
すなわち、本実施形態に係るＡＩサービスサーバ１２０は、原画像と、当該原画像を解析して得られた画像特徴量と、当該原画像に対するセグメンテーションによって区分された領域の画像特徴量との関係を学習することで、原画像に基づいてセグメンテーション結果を出力する学習済みモデルを生成する。
【００１５】
ここで、画像特徴量は、画像の特徴を定量的に示す数値である。例えば、画像特徴量は、原画像を用いテクスチャ解析等を行うことによって得られる解析値である。この画像特徴量は、原画像及び教師データが送信されるごとに導出され、原画像及び教師データと対応付けて、ＡＩサービスサーバ１２０におけるＤＢに蓄積される。
【００１６】
ＡＩサービスサーバ１２０は、ＤＢを参照して、複数の学習用データ（原画像、教師データ及び画像特徴量）を取得する。そして、ＡＩサービスサーバ１２０は、取得した原画像、教師データ及び画像特徴量を、自装置における機械学習エンジンに入力することによって、機械学習を行う。
【００１７】
ここで、機械学習エンジンは、例えば、入力された原画像の画像特徴量と、セグメンテーションされた領域における画像特徴量とを比較することで、セグメンテーションに最適なパラメータを決定する。例えば、機械学習エンジンは、ディープラーニング（Deep  Learning）や、ニューラルネットワーク（Neural  Network）、ロジスティック（Logistic）回帰分析、非線形判別分析、サポートベクターマシン（Support  Vector  Machine：ＳＶＭ）、ランダムフォレスト（Random  Forest）、ナイーブベイズ（Naive  Bayes）等の各種のアルゴリズムを用いて、最適なパラメータを決定する。
【００１８】
このような機械学習の結果として、ＡＩサービスサーバ１２０は、原画像に基づいてセグメンテーション結果を出力する学習済みモデルを生成する。そして、ＡＩサービスサーバ１２０は、生成した学習済みモデルを自装置の記憶回路に記憶させる。なお、このとき、ＡＩサービスサーバ１２０は、以前に作成した学習済みモデルが既に記憶回路に記憶されていた場合には、新しく作成した学習済みモデルで、記憶されている学習済みモデルを置き換える。
【００１９】
一方、例えば、図２の下側に示すように、運用時には、ＡＩサービスサーバ１２０が、被検体の頭部から収集したＴ１強調画像（原画像）を受け付け、受け付けたＴ１強調画像を学習済みモデルに入力することで、セグメンテーション結果（出力情報）を出力する。
【００２０】
具体的には、ＡＩサービスサーバ１２０は、ネットワーク２００上の他装置から送信されたセグメンテーションの処理対象の原画像を受信する。そして、ＡＩサービスサーバ１２０は、取得した原画像に対してテクスチャ解析などの解析処理を実行して、画像特徴量を導出する。
【００２１】
その後、ＡＩサービスサーバ１２０は、学習済みモデルに対して、原画像と画像特徴量を入力することで、原画像の脳に含まれる解剖学的領域或いは機能学的領域のセグメンテーション結果を推測する。そして、ＡＩサービスサーバ１２０は、原画像を送信した他装置に対して、推測結果を送信する。
【００２２】
図１に戻って、医用画像処理装置１３０は、ＶＮＡ１１０から医用画像データを取得し、取得した医用画像データを用いて各種の画像処理を行う。また、例えば、医用画像処理装置１３０は、医用画像データの処理結果を学習用データとしてＡＩサービスサーバ１２０に送信する。また、例えば、医用画像処理装置１３０は、医用画像データをＡＩサービスサーバ１２０に送信することで、学習済みモデルの出力情報を取得する。例えば、医用画像処理装置１３０は、サーバやワークステーション、パーソナルコンピュータ、タブレット端末等のコンピュータ機器によって実現される。
【００２３】
図１に示すように、医用画像処理装置１３０は、通信インターフェース１３１と、記憶回路１３２と、入力インターフェース１３３と、ディスプレイ１３４と、処理回路１３５とを有する。
【００２４】
通信インターフェース１３１は、処理回路１３５に接続されており、医用画像処理装置１３０と各システムとの間で行われる通信を制御する。具体的には、通信インターフェース１３１は、各システムから各種の情報を受信し、受信した情報を処理回路１３５に出力する。例えば、通信インターフェース１３１は、ネットワークカードやネットワークアダプタ、ＮＩＣ（Network  Interface  Controller）等によって実現される。
【００２５】
記憶回路１３２は、処理回路１３５に接続されており、各種のデータを記憶する。例えば、記憶回路１３２は、ＶＮＡ１１０から受信した医用画像データや、ＡＩサービスサーバ１２０から取得した出力情報などを記憶する。また、記憶回路１３２は、処理回路１３５が読み出して実行することで各種機能を実現するための種々のプログラムを記憶する。例えば、記憶回路１３２は、ＲＡＭ（Random  Access  Memory）、フラッシュメモリ等の半導体メモリ素子や、ハードディスク、光ディスク等によって実現される。
【００２６】
入力インターフェース１３３は、処理回路１３５に接続されており、操作者から各種の指示及び情報の入力操作を受け付ける。具体的には、入力インターフェース１３３は、操作者から受け付けた入力操作を電気信号へ変換して処理回路１３５に出力する。例えば、入力インターフェース１３３は、トラックボール、スイッチボタン、マウス、キーボード、操作面へ触れることで入力操作を行うタッチパッド、表示画面とタッチパッドとが一体化されたタッチスクリーン、光学センサを用いた非接触入力回路、及び音声入力回路等によって実現される。なお、本明細書において、入力インターフェース１３３は、マウス、キーボード等の物理的な操作部品を備えるものだけに限られない。例えば、装置とは別体に設けられた外部の入力機器から入力操作に対応する電気信号を受け取り、この電気信号を制御回路へ出力する電気信号の処理回路も入力インターフェース１３３の例に含まれる。ここで、入力インターフェース１３３は、受付部の一例である。
【００２７】
ディスプレイ１３４は、処理回路１３５に接続されており、各種の情報及び画像を表示する。具体的には、ディスプレイ１３４は、処理回路１３５から送られる情報及び画像のデータを表示用の電気信号に変換して出力する。例えば、ディスプレイ１３４は、液晶モニタやＣＲＴ（Cathode  Ray  Tube）モニタ、タッチパネル等によって実現される。
【００２８】
処理回路１３５は、入力インターフェース１３３を介して操作者から受け付けた入力操作に応じて、医用画像処理装置１３０の動作を制御する。例えば、処理回路１３５は、プロセッサによって実現される。
【００２９】
以上、本実施形態に係る医用画像処理システム１００の構成について説明した。例えば、本実施形態に係る医用画像処理システム１００は、病院や医院等の医療機関に配置されたＶＮＡ１１０及び医用画像処理装置１３０と、外部ネットワーク上に配置されたＡＩサービスサーバ１２０によって構成される。このような構成のもと、医用画像処理システム１００は、学習用データの抽出にかかる手間を軽減することを可能にする。
【００３０】
上述したように、ＡＩサービスサーバ１２０は、学習用データを受け付けて、画像処理に関するアルゴリズムのＡＰＩを提供する。ここで、より精度の高い（或いは、より汎用性の高い）アルゴリズムを構築するためには、多数の学習用データを収集して、ＡＩサービスサーバ１２０においてさらに機械学習を実施させることが求められる。
【００３１】
しかしながら、画像処理に関するアルゴリズムを構築する場合には、目的のアルゴリズムごとに適切な医用画像データがあり、多数の医用画像データの中から目的のアルゴリズムのための適切な医用画像データを抽出することは容易ではない。例えば、頭部のＴ１強調画像を対象とした脳のセグメンテーションのアルゴリズムについて、より精度の高い（或いは、より汎用性の高い）ものにする場合、部位及び画像種が「頭部」及び「Ｔ１強調画像」であり、アルゴリズムの制約（例えば、画質や画像に含まれる詳細な部位など）を満たす医用画像データを多数の医用画像データの中から抽出することとなり、この抽出には、手間と時間を要することが多い。
【００３２】
そこで、本実施形態では、医用画像処理システム１００における医用画像処理装置１３０が、ＶＮＡ１１０において管理された多数の医用画像データから学習用データを抽出する際に、収集済みの複数の医用画像データに対して画像解析を行い、解析結果に基づいて、学習済みモデルの生成に用いられた教師データと共通の属性を有する医用画像データを、学習済みモデルの教師データの候補として抽出することで、学習用データの抽出にかかる手間を軽減する。このような医用画像処理装置１３０によれば、ヘッダーに種々の情報を含むＤＩＣＯＭフォーマットの医用画像データだけではなく、Ｔｉｆｆフォーマットや、ＪＰＥＧフォーマットなどのＮｏｎ−ＤＩＣＯＭフォーマットの医用画像データの中からも適切な学習用データを容易に抽出することができる。
【００３３】
以下、本実施形態に係る医用画像処理装置１３０の詳細について説明する。図１に示すように、医用画像処理装置１３０の処理回路１３５は、制御機能１３５ａ、解析機能１３５ｂ、抽出機能１３５ｃ、取得機能１３５ｄ、及び、決定機能１３５ｅを実行する。ここで、制御機能１３５ａは、制御部の一例である。また、解析機能１３５ｂは、解析部の一例である。また、抽出機能１３５ｃは、抽出部の一例である。また、取得機能１３５ｄは、取得部の一例である。また、決定機能１３５ｅは、決定部の一例である。
【００３４】
制御機能１３５ａは、入力インターフェース１３３を介して入力された各種要求に応じた処理を実行するように制御する。例えば、制御機能１３５ａは、通信インターフェース１３１を介した医用画像データ等の送受信、記憶回路１３２への情報の格納、ディスプレイ１３４への情報（例えば、表示画像や、解析結果）の表示などを制御する。
【００３５】
例えば、制御機能１３５ａは、ＶＮＡ１１０から複数の医用画像データを取得して、記憶回路１３２に格納する。また、例えば、制御機能１３５ａは、ＶＮＡ１１０から取得した複数の医用画像データから学習用データを抽出する際の種々の条件を選択するためのＧＵＩや、各機能による処理結果をディスプレイ１３４に表示させるように制御する。なお、制御機能１３５ａによって表示される表示内容の詳細については、後述する。
【００３６】
ここで、制御機能１３５ａによって取得される医用画像データは、目的のアルゴリズムに応じて、２次元の医用画像データと、或いは、３次元の医用画像データとなる。例えば、対象となる学習済みモデルのアルゴリズムの処理対象が、ボリュームデータの場合、制御機能１３５ａは、ＶＮＡ１１０から３次元の医用画像データを取得する。一方、対象となる学習済みモデルのアルゴリズムの処理対象が、２次元の医用画像データの場合、制御機能１３５ａは、ＶＮＡ１１０から２次元の医用画像データを取得する、或いは、ＶＮＡ１１０に格納されたボリュームデータから２次元の医用画像データ（例えば、ボリュームデータの１スライスなど）を抽出して取得する。
【００３７】
なお、処理対象が２次元の医用画像データであるか、或いは、３次元の医用画像データであるかは、例えば、操作者によって指定される場合でもよく、或いは、対象となる学習済みモデルのアルゴリズムに応じて、制御機能１３５ａが決定する場合でもよい。操作者によって指定される場合、例えば、制御機能１３５ａは、２次元或いは３次元を選択するためのＧＵＩをディスプレイ１３４に表示させ、入力インターフェース１３３を介して、操作者による指定操作を受け付ける。また、対象となる学習済みモデルのアルゴリズムに応じて制御機能１３５ａが決定する場合、例えば、記憶回路１３２が、アルゴリズムと処理対象となるデータ情報（２次元であるか、或いは、３次元であるか）とを対応付けた対応情報を予め記憶しておく。制御機能１３５ａは、記憶回路１３２の対応情報を参照して、対象となる学習済みモデルのアルゴリズムに対応するデータ情報に基づいて、２次元であるか、或いは、３次元であるかを決定する。
【００３８】
解析機能１３５ｂは、収集済みの複数の医用画像データに対して画像解析を行う。具体的には、解析機能１３５ｂは、収集済みの複数の医用画像データに対して、画像の種別を特定するための学習済みモデル又は画像処理を用いた解析を行う。例えば、解析機能１３５ｂは、ＶＮＡ１１０から取得され、記憶回路１３２に記憶された複数の医用画像データに対して、部位を特定するための画像解析と、画像種を特定するための画像解析とを行う。また、解析機能１３５ｂは、学習用データにおける原画像として適切か否かを判定するための解析を行う。そして、解析機能１３５ｂは、各医用画像データに対して解析結果を付与して、記憶回路１３２に格納する。
【００３９】
例えば、解析機能１３５ｂは、解剖学的指標（アナトミカルランドマーク）などに基づく解析を実行することで、各医用画像データに含まれる部位を特定する。一例を挙げると、解析機能１３５ｂは、各医用画像データから解剖学的指標を抽出し、抽出した解剖学的指標と部位ごとの解剖学的指標とを比較することで、各医用画像データに含まれる部位（例えば、頭部、胸部、腹部、下肢など）を特定する。
【００４０】
そして、解析機能１３５ｂは、学習済みモデル又は画像処理を用いた解析により、画像種を特定する。以下、脳を撮像した「Ｔ１強調画像（Ｔ１Ｗ）」、「Ｔ２強調画像（Ｔ２Ｗ）」、「ＣＴ（Computed  Tomography）画像」、「ＦＬＡＩＲ（FLuid-Attenuated  Inversion  Recovery）画像」及び「ＤＷＩ（Diffusion  Weighted  Image）画像」から各画像種を特定するための解析を一例に挙げて説明する。
【００４１】
例えば、学習済みモデルを利用する場合、各画像種において特徴的な信号値を示す部位の情報を用いた学習済みモデルが予め構築される。例えば、「Ｔ１強調画像：ＣＳＦ（cerebrospinal  fluid：脳脊髄液）が低信号」、「Ｔ２強調画像：ＣＳＦが高信号」、「ＦＬＡＩＲ画像：Ｔ２ＷでＣＳＦで低信号」、「ＤＷＩ画像：他の画像と比較してノイズが多い」、「ＣＴ画像：頭蓋が高信号」という特徴を用いて、信号値と画像種とを学習用データとした学習済みモデルが生成される。なお、学習済みモデルは、ＡＩサービスサーバ１２０に構築されてもよく、或いは、医用画像処理装置１３０に構築されてもよい。例えば、解析機能１３５ｂは、部位を頭部と特定した各医用画像データを上記した学習済みモデルに入力することで、各医用画像データの画像種を特定する。
【００４２】
また、画像処理を利用する場合、解析機能１３５ｂは、既存のアルゴリズムを用いて上記した画像種を分類することができる。一例を挙げると、解析機能１３５ｂは、Voxel  Based  Morphometry（ＶＢＭ）を応用して、「Ｔ１強調画像」、「Ｔ２強調画像」、「ＦＬＡＩＲ画像」を分類することできる。例えば、解析機能１３５ｂは、各医用画像データについて、解剖学的標準化を行い、クラスター分析と事前確率画像を用いて、灰白質と、白質と、ＣＳＦ（脳脊髄液）とを分割する。そして解析機能１３５ｂは、分割した灰白質と、白質と、ＣＳＦ（脳脊髄液）における信号値の分布に基づいて、「Ｔ１強調画像」、「Ｔ２強調画像」、「ＦＬＡＩＲ画像」を特定する。
【００４３】
また、解析機能１３５ｂは、各医用画像データに対して輪郭抽出を行い、頭部領域の外側（頭蓋）に高信号領域があるか否かによって「ＣＴ画像」を特定する。また、例えば、解析機能１３５ｂは、各医用画像データのＳ／Ｎ（signal-to-noise  ratio）を算出して、算出したＳ／Ｎと所定の閾値とを比較して、閾値を下回る医用画像データを「ＤＷＩ画像」と特定する。
【００４４】
上述したように、解析機能１３５ｂが各医用画像データに対する解析処理を行うと、抽出機能１３５ｃが、解析結果に基づいて、学習用データの候補を抽出する。具体的には、抽出機能１３５ｃは、解析機能１３５ｂの解析結果に基づいて、学習済みモデルの生成に用いられた教師データと共通の属性を有する医用画像データを、学習済みモデルの教師データの候補として収集済みの複数の医用画像データから抽出する。
【００４５】
例えば、抽出機能１３５ｃは、まず、対象となる学習済みモデルの学習用データとして利用された教師データの原画像を参照して、抽出対象となる医用画像データの部位及び画像種を取得し、取得した部位及び画像種の医用画像データを抽出する。一例を挙げると、抽出機能１３５ｃは、「部位：頭部（脳）」及び「画像種：Ｔ１Ｗ」を取得する。そして、抽出機能１３５ｃは、解析機能１３５ｂによる解析結果を参照して、取得した部位及び画像種と同じ「頭部のＴ１Ｗ」を、記憶回路１３２によって記憶された複数の医用画像データから抽出する。
【００４６】
さらに、抽出機能１３５ｃは、抽出した医用画像データの中から学習用データとして適切な医用画像データをさらに抽出する。例えば、抽出機能１３５ｃは、教師データと共通の画像種の複数の医用画像データを抽出し、画質、教師データの原画像との類似度、及び、学習済みモデルに用いるための制約のうち少なくとも１つに基づいて、抽出した複数の医用画像データの中から教師データと共通の属性を有する医用画像データを抽出する。
【００４７】
ここで、学習用データとして適切な医用画像データをさらに抽出する際に、学習済みモデルのアルゴリズムをより精度の高いものにするか、或いは、学習済みモデルのアルゴリズムをより汎用性の高いものにするかによって、抽出対象を変えることができる。すなわち、抽出機能１３５ｃは、学習済みモデルのアルゴリズムをより精度の高いものにするか、或いは、学習済みモデルのアルゴリズムをより汎用性の高いものにするかによって、抽出の判定を切り替えることができる。
【００４８】
学習済みモデルのアルゴリズムをより精度の高いものにするか、或いは、学習済みモデルのアルゴリズムをより汎用性の高いものにするかは、操作者によって任意に設定することができる。ここで、操作者は、以下で説明する各抽出処理を任意に選択することで、学習済みモデルのアルゴリズムをより精度の高いものにするか、或いは、学習済みモデルのアルゴリズムをより汎用性の高いものにするかを選択することができる。かかる場合には、例えば、制御機能１３５ａが以下で説明する各抽出処理に関するＧＵＩをディスプレイ１３４に表示させ、操作者が入力インターフェース１３３を介して、どの抽出処理をどのような閾値判定によって実行させるかを選択する。
【００４９】
まず、学習済みモデルのアルゴリズムをより精度の高いものにする場合の抽出処理について説明する。かかる場合には、例えば、抽出機能１３５ｃは、部位及び画像種に基づいて抽出した医用画像データのＳ／Ｎをそれぞれ算出し、算出したＳ／Ｎが所定の閾値に達していない医用画像データを対象外とする。すなわち、抽出機能１３５ｃは、部位及び画像種に基づいて抽出した医用画像データのうち、所定の画質を有する医用画像データのみを抽出する。なお、Ｓ／Ｎに対して設定される閾値は、対象となる学習済みモデルごとにそれぞれ設定されてもよく、代表的な値が設定される場合でもよい。
【００５０】
また、例えば、抽出機能１３５ｃは、部位及び画像種に基づいて抽出した医用画像データと、教師データの原画像との類似度を算出して、類似度が所定の値に達している医用画像データを抽出する。一例を挙げると、抽出機能１３５ｃは、抽出した医用画像データの信号値と教師データの原画像の信号値との相互情報量（ＭＩ：Mutual  Information）を算出し、算出した相互情報量が所定の閾値に達していない場合に、抽出した医用画像データを対象外とする。
【００５１】
また、例えば、抽出機能１３５ｃは、学習済みモデルに用いるための制約として、断面が適切か、スライスピッチが適切か、アーチファクトが大きすぎないか、医用画像データにターゲットの領域が全て含まれているか、医用画像データに腫瘍が含まれているかなどを用いて、学習用データとして適切な医用画像データをさらに抽出する。
【００５２】
一例を挙げると、脳のセグメンテーションのアルゴリズムについては、抽出機能１３５ｃは、「サジタル断面が適切」、「スライスピッチが所定のピッチ以下が適切」、「アーチファクトが大きすぎないものが適切」、「医用画像データにターゲットの領域が全て含まれているものが適切」、「腫瘍が含まれていないものが適切」とする判断基準に基づいて、抽出した医用画像データの中から学習用データとして適切な医用画像データをさらに抽出する。
【００５３】
また、学習済みモデルのアルゴリズムをより汎用性の高いものにする場合の抽出処理では、例えば、部位及び画像種に基づいて抽出した医用画像データと教師データの原画像との類似度により医用画像データを抽出する際の閾値が、アルゴリズムの精度を高める場合と比較して、低く設定される。抽出機能１３５ｃは、設定された閾値に基づいて、学習用データとして適切な医用画像データを抽出する。
【００５４】
また、例えば、抽出機能１３５ｃは、学習済みモデルのアルゴリズムをより汎用性の高いものにする場合の抽出処理では、撮像された断面の制約を用いずに医用画像データを抽出する。すなわち、抽出機能１３５ｃは、サジタル断面、アキシャル断面、コロナル断面のいずれの場合も適切な医用画像データとして抽出する。
【００５５】
なお、上述した抽出の例は、あくまでも一例であり、抽出機能１３５ｃは、操作者による設定に応じて、その他種々の条件、及び、種々の組み合わせによって、学習用データとして適切な医用画像データを抽出することができる。
【００５６】
取得機能１３５ｄは、教師データと共通の属性を有する医用画像データを入力データとして学習済みモデルに入力することで出力データを取得する。具体的には、取得機能１３５ｄは、抽出機能１３５ｃによって抽出された学習用データとして適切な医用画像データを学習済みモデルの入力データとしてＡＩサービスサーバ１２０に送信する。ＡＩサービスサーバ１２０は、取得機能１３５ｄから受信した入力データを学習済みモデルに入力することで得られた出力データを取得機能１３５ｄに送信する。取得機能１３５ｄは、ＡＩサービスサーバ１２０から受信した出力データを一次教師データとして記憶回路１３２に格納する。
【００５７】
決定機能１３５ｅは、入力データと出力データとを学習済みモデルの学習用データとして決定する。具体的には、決定機能１３５ｅは、一次教師データに対して操作者が修正処理を施した処理後の医用画像データを教師データとし、当該教師データと教師データの原画像（ＡＩサービスサーバ１２０に送信された医用画像データ）とを学習用データとして決定する。そして、決定機能１３５ｅは、決定した学習用データをＡＩサービスサーバ１２０に送信することで、決定した学習用データを用いた機械学習をＡＩサービスサーバ１２０に実行させる。
【００５８】
ここで、一次教師データに対する操作者の修正処理は、例えば、ディスプレイ１３４に表示された表示情報に基づいて実行される。すなわち、制御機能１３５ａが、一次教師データに関する情報をディスプレイ１３４に表示させる。例えば、制御機能１３５ａは、抽出機能１３５ｃによる抽出処理に基づくスコア、医用画像データの収集日時、取得機能１３５ｄによる一次教師データの取得状況、及び、学習済みモデルの生成に用いられた教師データと一次教師データとの比較結果のうち少なくとも１つを当該一次教師データとともにディスプレイ１３４にて表示させるように制御する。
【００５９】
入力インターフェース１３３、表示情報に対する操作を操作者から受け付ける。すなわち、操作者は、ディスプレイ１３４にて表示された種々の表示情報に基づいて、一次教師データを学習用データとして用いるか否か、学習用データとして用いる場合に修正を行うか否かなどを判断して、学習用データとして用いる一次教師データを決定し、決定した一次教師データを学習用データとするための操作を実行する。決定機能１３５ｅは、操作者による操作に基づいて、学習用データを決定し、決定した学習用データをＡＩサービスサーバ１２０に送信する。
【００６０】
上述したように、本実施形態に係る医用画像処理装置１３０は、ＶＮＡ１１０にて管理された医用画像データを解析して、学習用データの候補となる医用画像データを抽出し、抽出した医用画像データを学習済みモデルに適用することで、一次教師データを取得する。そして、医用画像処理装置１３０は、一次教師データを操作者に提示して、操作者によって教師データとして適切であると判定された医用画像データを教師データと決定する。さらに、医用画像処理装置１３０は、決定した教師データと当該教師データの原画像とをＡＩサービスサーバ１２０に送信する。
【００６１】
以下、図３を用いて、医用画像処理装置１３０の処理の一例を説明する。図３は、本実施形態に係る医用画像処理装置１３０による処理の一例を説明するための図である。ここで、図３においては、医用画像処理装置１３０が、頭部のＴ１Ｗを用いた脳のセグメンテーションの学習済みモデルのアルゴリズムに適切な学習用データをＶＮＡ１１０に保存されたＮｏｎ−ＤＩＣＯＭ画像から抽出する場合の例を示す。
【００６２】
図３に示すように、医用画像処理装置１３０においては、抽出機能１３５ｃが、（１）教師データの原画像を参照して、原画像と同じ画像種の画像を抽出する。かかる場合には、例えば、解析機能１３５ｂが、ＶＮＡ１１０に保存されたＴｉｆｆフォーマットやａｎａｌｙｚｅフォーマットなどのＮｏｎ−ＤＩＣＯＭ画像に対して部位や画像種を特定するための解析処理を実行する。そして、抽出機能１３５ｃは、解析機能１３５ｂの解析結果に基づいて、Ｎｏｎ−ＤＩＣＯＭ画像の中からＭＲＩ装置によって頭部が撮像されたＴ１Ｗを抽出する。
【００６３】
その後、抽出機能１３５ｃは、（１）において抽出した頭部のＴ１Ｗの中から、（２）教師データの原画像として適切な医用画像データを抽出する。すなわち、抽出機能１３５ｃは、解析機能１３５ｂによって解析された画質や、類似度、学習済みモデルにおける制約などに基づいて、教師データの原画像として適切な医用画像データを抽出する。ここで、抽出機能１３５ｃは、操作者によって選択された条件を満たす医用画像データを、教師データの原画像として適切な医用画像データとして抽出する。
【００６４】
そして、取得機能１３５ｄは、抽出機能１３５ｃによって抽出された教師データの原画像として適切な医用画像データを、ＡＩサービスサーバ１２０に送信することで、（３）抽出した原画像に対して学習済みモデルを適用させ、一次教師データを取得する。すなわち、取得機能１３５ｄは、教師データの原画像として適切な頭部のＴ１Ｗを、脳のセグメンテーションの学習済みモデルに適用させることで、セグメンテーション結果（ＡＩ搭載アルゴリズムの出力結果）を取得する。
【００６５】
ここで、取得機能１３５ｄは、ＡＩサービスサーバ１２０に送信する医用画像データに対して画像処理を施すことができる。例えば、頭部のＴ１Ｗを用いた脳のセグメンテーションの学習済みモデルの場合、送信する頭部のＴ１Ｗに含まれる脳が通常の形状と著しく異なる場合に出力がエラーとなる場合がある。例えば、脳の大きさは、年齢とともに萎縮するため、抽出したＴ１Ｗのままでは出力がエラーとなる場合がある。そこで、取得機能１３５ｄは、ＡＩサービスサーバ１２０に対して頭部のＴ１Ｗを送信する前に当該Ｔ１Ｗに対して画像の縮尺を調整する前処理を行って、脳の大きさを一律に揃えた後に、ＡＩサービスサーバ１２０に送信することも可能である。
【００６６】
そして、制御機能１３５ａは、（４）学習済みモデルへの適用結果を提示して、操作者から修正を受け付ける。すなわち、制御機能１３５ａは、取得機能１３５ｄによって取得された一次教師データをディスプレイ１３４にて表示させることで、操作者による修正を受け付ける。ここで、制御機能１３５ａは、ＡＩサービスサーバ１２０によるセグメンテーション結果とともに、解析機能１３５ｂによる解析結果を操作者に提示させることができる。
【００６７】
図４は、本実施形態に係る制御機能１３５ａによって表示される表示情報の一例を示す図である。例えば、制御機能１３５ａは、図４に示すように、「一次教師データ」に対して、「スコア」、「日時」、「エラー有無」及び「検定結果」を対応付けた表示情報をディスプレイ１３４にて表示させる。
【００６８】
ここで、「一次教師データ」は、ＡＩサービスサーバ１２０による実施された脳のセグメンテーションの結果を示す。また、「スコア」は、解析機能１３５ｂによる解析結果に対してスコアを付与した結果を示す。例えば、「スコア」は、学習用データとして適切な医用画像データであるか否かを判定する際に、条件を満たした項目の数に応じて加算される。一例挙げると、「スコア」は、学習済みモデルのアルゴリズムをより精度の高いものにするための条件、及び、学習済みモデルのアルゴリズムをより汎用性の高いものにするための条件でそれぞれ算出されることとなる。
【００６９】
また、「日時」は、一次教師データの原画像が収集された日時を示す。また、「検定結果」は、ＡＩサービスサーバ１２０によって機械学習に用いられた学習用データの教師データ（セグメンテーション結果）と、一次教師データとを比較した際の検定結果を示す。「検定結果」としては、例えば、機械学習に用いられた教師データにおいてセグメンテーションされた領域の体積値や面積値の平均値及びＳＤ（Standard  Deviation）を算出して、一次教師データにおけるセグメンテーション結果の体積値や面積値が２ＳＤ以内となっているか否かが示される。また、「検定結果」としては、例えば、セグメンテーションされた各領域間でのコントラストの値が示される。
【００７０】
なお、上述した「スコア」や、「検定結果」は、例えば、解析機能１３５ｂによって算出され、制御機能１３５ａによってディスプレイ１３４に表示される。また、制御機能１３５ａは、図４に示すように、「スコア」、「日時」、「エラー有無」及び「検定結果」について、昇順・降順で任意に並びかえることができるＧＵＩを表示させることができる。
【００７１】
操作者は、図４に示すような表示情報が参照して、学習用データとして採用する医用画像データを決定する。具体的には、操作者は、まず、「スコア」、「日時」、「エラー有無」及び「検定結果」に基づいて、採用する一次教師データを決定する。そして、操作者は、採用した一次教師データ（セグメンテーション結果）を参照して、分類された各部位（例えば、灰白質、白質、ＣＳＦなど）の領域について、修正が必要か否かを判定する。そして、操作者は、修正が必要であると判定した場合に、入力インターフェース１３３を介して当該領域を修正し、教師データを生成する。
【００７２】
その後、操作者は、修正後の教師データと当該教師データの原画像を学習用データとして決定する決定操作を実行する。決定機能１３５ｅは、操作者によって実行された決定操作に応じて、対応する修正後の教師データと当該教師データの原画像をＡＩサービスサーバ１２０に送信する、
【００７３】
上述したように、医用画像処理装置１３０は、学習用データの候補となる医用画像データを抽出し、抽出した医用画像データを学習済みモデルに適用することで、一次教師データを取得し、一次教師データに対する操作者の操作に応じて教師データを決定する。そして、医用画像処理装置１３０は、決定した教師データをＡＩサービスサーバ１２０に送信することで、学習済みモデルを更新させる。
【００７４】
ここで、医用画像処理装置１３０は、適切な医用画像データを抽出する際の条件ごとや、一次教師データに対して操作を実行した操作者ごとの学習済みモデルを更新させることもできる。かかる場合には、決定機能１３５ｅは、ＡＩサービスサーバ１２０に学習用データを送信する際に、条件又は操作者が識別可能となるように識別子を付して送信することで、ＡＩサービスサーバ１２０に条件ごと、或いは、操作者ごとに学習済みモデルを更新させる。この場合、ＡＩサービスサーバ１２０は、条件ごと、或いは、操作者ごとに学習済みモデルを管理することとなる。
【００７５】
以上、医用画像処理装置１３０の処理回路１３５が有する各処理機能について説明した。ここで、処理回路１３５がプロセッサによって実現される場合には、処理回路１３５が有する各処理機能は、コンピュータによって実行可能なプログラムの形態で記憶回路１３２に記憶されている。そして、処理回路１３５は、記憶回路１３２から各プログラムを読み出して実行することで、各プログラムに対応する機能を実現する。換言すると、各プログラムを読み出した状態の処理回路１３５は、図１の処理回路１３５に示された各機能を有することとなる。なお、図１では、単一のプロセッサによって各処理機能が実現されるものとして説明したが、複数の独立したプロセッサを組み合わせて処理回路を構成し、各プロセッサがプログラムを実行することにより機能を実現するものとしても構わない。また、処理回路１３５が有する処理機能は、単一又は複数の処理回路に適宜に分散又は統合されて実現されてもよい。また、図１に示す例では、単一の記憶回路１３２が各処理機能に対応するプログラムを記憶するものとして説明したが、複数の記憶回路を分散して配置して、処理回路が個別の記憶回路から対応するプログラムを読み出す構成としても構わない。
【００７６】
次に、医用画像処理装置１３０による処理の手順を説明する。図５は、本実施形態に係る医用画像処理装置１３０による処理の手順を示すフローチャートである。ここで、図５におけるステップＳ１０１〜ステップＳ１０４は、処理回路１３５が記憶回路１３２から解析機能１３５ｂ及び抽出機能１３５ｃに対応するプログラムを呼び出して実行することにより、実現されるステップである。また、図５におけるステップＳ１０５は、処理回路１３５が記憶回路１３２から取得機能１３５ｄに対応するプログラムを呼び出して実行することにより、実現されるステップである。また、図５におけるステップＳ１０６は、処理回路１３５が記憶回路１３２から制御機能１３５ａに対応するプログラムを呼び出して実行することにより、実現されるステップである。また、図５におけるステップＳ１０７〜ステップＳ１１０は、処理回路１３５が記憶回路１３２から決定機能１３５ｅに対応するプログラムを呼び出して実行することにより、実現されるステップである。
【００７７】
図５に示すように、医用画像処理装置１３０においては、処理回路１３５が、まず、学習用データの抽出処理が開始されたか否かを判定する（ステップＳ１０１）。ここで、抽出処理が開始されると（ステップＳ１０１、肯定）、処理回路１３５は、教師データに用いられている医用画像データの原画像を参照して（ステップＳ１０２）、ＶＮＡ１１０に登録されている医用画像データを解析して原画像と同じ画像種の医用画像データを抽出する（ステップＳ１０３）。なお、抽出処理が開始されるまで、処理回路１３５は待機状態である（ステップＳ１０１、否定）。
【００７８】
そして、処理回路１３５は、解析結果に基づいて、抽出した医用画像データから原画像として適切なものをさらに抽出する（ステップＳ１０４）。その後、処理回路１３５は、抽出した医用画像データを学習済みデータに適用して（ステップ１０５）、出力結果をユーザに提示して（ステップＳ１０６）、修正を受け付けたか否かを判定する（ステップＳ１０７）。
【００７９】
ここで、修正を受け付けた場合（ステップＳ１０７、肯定）、処理回路１３５は、修正結果を反映して（ステップＳ１０８）、登録操作を受け付けたか否かを判定する（ステップＳ１０９）。なお、修正を受け付けていない場合（ステップＳ１０７、否定）、処理回路１３５は、登録操作を受け付けたか否かを判定する（ステップＳ１０９）。
【００８０】
そして、登録操作を受け付けた場合（ステップＳ１０９、肯定）、処理回路１３５は、学習用データをＡＩサービスサーバ１２０に送信して、学習済みモデルを更新させて保存させる（ステップＳ１１０）。一方、登録操作を受け付けていない場合（ステップＳ１０９、否定）、処理回路１３５は、処理を終了する。
【００８１】
上述したように、本実施形態によれば、解析機能１３５ｂは、収集済みの複数の医用画像データに対して画像解析を行う。抽出機能１３５ｃは、解析機能１３５ｂの解析結果に基づいて、学習済みモデルの生成に用いられた教師データと共通の属性を有する医用画像データを、学習済みモデルの教師データの候補として収集済みの複数の医用画像データから抽出する。したがって、本実施形態に係る医用画像処理装置１３０は、画像情報に基づいて、学習済みモデルの教師データの候補を抽出することができ、多数の医用画像データの中から学習用データを抽出する手間を軽減することを可能にする。
【００８２】
また、本実施形態によれば、解析機能１３５ｂは、収集済みの複数の医用画像データに対して、画像の種別を特定するための学習済みモデル又は画像処理を用いた解析を行う。抽出機能１３５ｃは、解析機能１３５ｂによる解析結果に基づいて教師データと共通の画像種の複数の医用画像データを抽出し、画質、教師データの原画像との類似度、及び、学習済みモデルに用いるための制約のうち少なくとも１つに基づいて、抽出した複数の医用画像データの中から教師データと共通の属性を有する医用画像データを抽出する。したがって、本実施形態に係る医用画像処理装置１３０は、対象の学習済みモデルに適切な学習用データを容易に抽出することを可能にする。
【００８３】
また、本実施形態によれば、取得機能１３５ｄは、教師データと共通の属性を有する医用画像データを入力データとして学習済みモデルに入力することで出力データを取得する。決定機能１３５ｅは、入力データと出力データとを学習済みモデルの学習用データとして決定する。したがって、本実施形態に係る医用画像処理装置１３０は、学習済みモデルの教師データの抽出にかかる手間を軽減することを可能にする。
【００８４】
また、本実施形態によれば、制御機能１３５ａは、出力データをディスプレイ１３４に表示させるように制御する。入力インターフェース１３３は、ディスプレイ１３４にて表示された出力データに対する処理の操作を受け付ける。決定部は、入力データと処理後の出力データとを学習済みモデルの学習用データとして決定する。したがって、本実施形態に係る医用画像処理装置１３０は、より信頼度の高い教師データを容易に抽出することを可能にする。
【００８５】
また、本実施形態によれば、決定機能１３５ｅは、入力データと処理後の出力データとを、学習済みモデルのアルゴリズムを提供するＡＩサービスサーバ１２０に送信することで、学習済みモデルを更新させる。したがって、本実施形態に係る医用画像処理装置１３０は、学習済みモデルの更新を容易に実行することを可能にする。
【００８６】
また、本実施形態によれば、制御機能１３５ａは、抽出機能１３５ｃによる抽出処理に基づくスコア、医用画像データの収集日時、取得機能１３５ｄによる出力データの取得状況、及び、学習済みモデルの生成に用いられた教師データと出力データとの比較結果のうち少なくとも１つを当該出力データとともにディスプレイ１３４にて表示させるように制御する。したがって、本実施形態に係る医用画像処理装置１３０は、対象の学習済みモデルに対して適切な医用画像データを容易に抽出することを可能にする。
【００８７】
また、本実施形態によれば、取得機能１３５ｄは、教師データと共通の属性を有する医用画像データに対して画像変形（例えば、脳の大きさをそろえる処理）を行ったうえで学習済みモデルに入力することで出力データを取得する。したがって、本実施形態に係る医用画像処理装置１３０は、一次教師データの取得におけるエラーを抑制することを可能にする。
【００８８】
（他の実施形態）
なお、上述した実施形態は、医用画像処理装置１３０が有する構成又は機能の一部を変更することで、適宜に変形して実施することも可能である。そこで、以下では、上述した実施形態に係るいくつかの変形例を他の実施形態として説明する。なお、以下では、上述した実施形態と異なる点を主に説明することとし、既に説明した内容と共通する点については詳細な説明を省略する。また、以下で説明する各実施形態は、個別に実施されてもよいし、適宜に組み合わせて実施されてもよい。
【００８９】
（他の実施形態−１）
例えば、上述した実施形態では、一次教師データの取得においてエラーが生じた場合に、対象外とする例について説明した。しかしながら、実施形態はこれに限定されるものではなく、エラーが生じた場合の結果をフィードバックして、抽出機能１３５ｃの抽出処理に反映させるようにしてもよい。
【００９０】
かかる場合には、例えば、取得機能１３５ｄは、記憶回路１３２に保存された医用画像データのうち、ＡＩサービスサーバ１２０から受信した出力結果においてエラーが通知された医用画像データに対してエラーが通知された旨を対応付けて記憶させる。抽出機能１３５ｃは、取得機能１３５ｄによる出力データの取得においてエラーが生じた医用画像データの属性情報を蓄積し、蓄積した属性情報を有する医用画像データを抽出の対象外とする。例えば、抽出機能１３５ｃは、エラーが通知された旨を対応付けられた医用画像データの画像特徴量を算出して、算出した画像特徴量の情報を記憶回路１３２に蓄積させる。そして、抽出機能１３５ｃは、学習用データとして適切な医用画像データを抽出する際に、蓄積した画像特徴量を有する医用画像データを対象外のデータとする。これにより、医用画像処理装置１３０は、学習用データとしてより適切な医用画像データを自動で抽出することを可能にする。
【００９１】
（他の実施形態−２）
また、例えば、上述した実施形態では、医用画像データをもとに生成された学習済みモデルの学習用データを抽出する場合について説明した。しかしながら、実施系形態はこれに限定されるものではなく、例えば、ＥＣＧ（Electrocardiogram）等の他の被検体情報を用いる場合であってもよい。
【００９２】
（他の実施形態−３）
また、上述した実施形態では、医用画像処理装置１３０が、病院や医院等の医療機関に設置される場合の例を説明したが、実施形態はこれに限られない。例えば、医用画像処理装置１３０は、医療機関とは別の場所に設置され、ネットワーク２００を介して、１つ又は複数の医療機関に設置されたＶＮＡ１１０と通信可能に接続されていてもよい。
【００９３】
この場合には、例えば、医用画像処理装置１３０が、ネットワーク２００を介して、各医用機関に設置されたＶＮＡ１１０から医用画像データを取得して、学習用データを抽出する。
【００９４】
（他の実施形態−４）
また、上述した実施形態では、医用画像処理装置１３０によって抽出した学習用データをＡＩサービスサーバ１２０に送信して学習済みモデルを生成する場合について説明した。しかしながら、実施形態はこれに限定されるものではなく、例えば、医用画像処理装置１３０によって学習済みモデルが生成される場合であってもよい。
【００９５】
（他の実施形態−５）
また、上述した実施形態では、医用画像処理装置１３０が、制御機能１３５ａ、解析機能１３５ｂ、抽出機能１３５ｃ、取得機能１３５ｄ、決定機能１３５ｅを実行する場合について説明した。しかしながら、実施形態はこれに限定されるものではなく、例えば、各機能が、医用画像処理システム１００に含まれる複数の装置によって分散して実行される場合であってもよい。
【００９６】
（他の実施形態−６）
また、上述した各実施形態では、本明細書における制御部、解析部、抽出部、取得部及び決定部を、それぞれ、処理回路１３５の制御機能１３５ａ、解析機能１３５ｂ、抽出機能１３５ｃ、取得機能１３５ｄ、及び、決定機能１３５ｅによって実現する場合の例を説明したが、実施形態はこれに限られない。例えば、本明細書における制御部、解析部、抽出部、取得部及び決定部は、実施形態で述べた制御機能１３５ａ、解析機能１３５ｂ、抽出機能１３５ｃ、取得機能１３５ｄ、及び、決定機能１３５ｅによって実現する他にも、ハードウェアのみ、又は、ハードウェアとソフトウェアとの混合によって同機能を実現するものであっても構わない。
【００９７】
なお、上述した説明で用いた「プロセッサ」という文言は、例えば、ＣＰＵ（Central  Processing  Unit）、ＧＰＵ（Graphics  Processing  Unit）、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。プロセッサは、記憶回路１４２に保存されたプログラムを読み出して実行することで、機能を実現する。なお、記憶回路１４２にプログラムを保存する代わりに、プロセッサの回路内にプログラムを直接組み込むように構成しても構わない。この場合は、プロセッサは回路内に組み込まれたプログラムを読み出して実行することで機能を実現する。また、本実施形態のプロセッサは、単一の回路として構成される場合に限らず、複数の独立した回路を組み合わせて一つのプロセッサとして構成され、その機能を実現するようにしてもよい。
【００９８】
ここで、プロセッサによって実行されるプログラム（医用画像処理プログラム）は、ＲＯＭ（Read  Only  Memory）や記憶回路等に予め組み込まれて提供される。なお、このプログラムは、これらの装置にインストール可能な形式又は実行可能な形式のファイルでＣＤ（Compact  Disk）−ＲＯＭ、ＦＤ（Flexible  Disk）、ＣＤ−Ｒ（Recordable）、ＤＶＤ（Digital  Versatile  Disk）等のコンピュータで読み取り可能な記憶媒体に記録されて提供されてもよい。また、このプログラムは、インターネット等のネットワークに接続されたコンピュータ上に保存され、ネットワーク経由でダウンロードされることにより提供又は配布されてもよい。例えば、このプログラムは、上述した各機能部を含むモジュールで構成される。実際のハードウェアとしては、ＣＰＵが、ＲＯＭ等の記憶媒体からプログラムを読み出して実行することにより、各モジュールが主記憶装置上にロードされて、主記憶装置上に生成される。
【００９９】
以上説明した少なくとも１つの実施形態によれば、学習用データの抽出にかかる手間を軽減することができる。
【０１００】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【０１０１】
１００  医用画像処理システム
１１０  ＶＮＡ
１２０  ＡＩサービスサーバ
１３０  医用画像処理装置
１３３  入力インターフェース
１３５  処理回路
１３５ａ  制御機能
１３５ｂ  解析機能
１３５ｃ  抽出機能
１３５ｄ  取得機能
１３５ｅ  決定機能
【図１】
2020058590.tif 000003
【図２】
2020058590.tif 000004
【図３】
2020058590.tif 000005
【図４】
2020058590.tif 000006
【図５】
2020058590.tif 000007